(57)【要約】【課題】視聴中心に対して左右で視野角の改善特性に差異が生じることを抑制でき、良好な視野角特性を有する表示装置を提供する。【解決手段】表示装置は、第１方向及び第２方向に並んで配置される複数の画素と、複数の画素を区分する境界部とを有するパネルと、複数の光透過部と複数の光拡散部とが交互に並んで配置されるとともに、パネルに重ねて配置されるフィルムと、を含み、フィルムは、複数の光透過部の長手方向が、表示装置においてユーザによって視認される画面の垂直方向に沿った方向となり、かつ、複数の光透過部と複数の光拡散部との配列方向が画面の水平方向に沿った方向となるように配置され、複数の光拡散部のそれぞれがパネルからの光を配列方向に拡散し、パネルは、第１方向及び第２方向が画面の垂直方向に対して斜めの方向となるように配置されている。【選択図】図５
2020101681.tif 000002
【特許請求の範囲】
【請求項１】
第１方向及び第２方向に並んで配置される複数の画素と、前記複数の画素を区分する境界部とを有するパネルと、
複数の光透過部と複数の光拡散部とが交互に並んで配置されるとともに、前記パネルに重ねて配置されるフィルムと、
を含み、
前記フィルムは、前記複数の光透過部の長手方向が、前記パネルにおいてユーザによって視認される画面の垂直方向に沿った方向となり、かつ、前記複数の光透過部と複数の光拡散部との配列方向が前記画面の水平方向に沿った方向となるように配置され、前記複数の光拡散部のそれぞれが前記パネルからの光を前記配列方向に拡散し、
前記パネルは、前記第１方向及び前記第２方向が前記画面の垂直方向に対して斜めの方向となるように配置されている
ことを特徴とする表示装置。
【請求項２】
請求項１に記載の表示装置において、
前記複数の画素のそれぞれは、方形状であり、前記方形状の各端縁が前記画面の垂直方向に交差する表示装置。
【請求項３】
請求項２に記載の表示装置において、
前記複数の画素のそれぞれは、矩形状であり、
前記パネルは、
前記複数の画素のうち、前記矩形状の一対の端縁が前記第１方向に沿う画素が、前記画面の水平方向に沿うように配列されている第１の画素列と、
前記複数の画素のうち、前記矩形状の一対の端縁が前記第２方向に沿う画素が、前記画面の水平方向に沿って配列されている第２の画素列と、を有し、
前記第１の画素列と前記第２の画素列とが、前記画面の垂直方向に沿って交互に配列される表示装置。
【請求項４】
請求項１から請求項３のいずれか１項に記載の表示装置において、
前記複数の画素のそれぞれは、矩形状であり、
前記パネルは、前記矩形状の一対の端縁が前記画面の垂直方向に対して略４５度の角度で交差するように配置されている表示装置。
【請求項５】
請求項１から請求項４のいずれか１項に記載の表示装置において、
前記パネルは、前記複数の画素はそれぞれ複数のサブ画素を含み、それぞれ前記複数のサブ画素を含む複数の画素領域が、前記第１方向及び前記第２方向に沿って配列され、
前記複数の画素領域は、菱形状であり、一対の対角線の一方は前記画面の垂直方向に平行である表示装置。
【請求項６】
請求項５に記載の表示装置において、
前記複数の画素領域は、正方形状である表示装置。
【請求項７】
請求項１から請求項４のいずれか１項に記載の表示装置において、
前記パネルは、前記複数の画素はそれぞれ複数のサブ画素を含み、それぞれ前記複数のサブ画素を含む複数の画素領域が、前記第１方向及び前記第２方向に沿って配列され、
前記複数の画素領域は、平行四辺形状であり、一組の対辺は前記画面の水平方向に平行である表示装置。
【請求項８】
請求項７に記載の表示装置において、
前記複数の画素領域は、菱形状である表示装置。
【発明の詳細な説明】
【技術分野】
【０００１】
本発明は、表示装置に関する。
【背景技術】
【０００２】
液晶マトリックスがピッチｐ１で設けられた液晶セルを備える液晶ユニットと、表面に線条（線状の凹凸）がピッチｐ２で形成された光線制御用のシートと、を備える液晶ディスプレイが知られている（例えば特許文献１参照）。特許文献１では、光線制御用のシートは、液晶セルの液晶マトリックスの縦横の方向に対してシートの線条の稜線方向が傾斜するように配置され、これにより、異なるピッチを有する光線制御用のシートの線条と、液晶マトリックスとの間でモアレ干渉縞が発生することを抑制している。
【先行技術文献】
【特許文献】
【０００３】
【特許文献１】特開平６−２７３７５３号公報
【発明の概要】
【発明が解決しようとする課題】
【０００４】
ここで、光線制御用のシートとして、視野角拡大シート（例えば、一方向に沿って複数のスリットが配列され、透過光をスリットの配列方向に拡散させる）を配置する際に、視野角拡大シートのスリットを液晶セルのマトリクスの配列方向である縦横方向に対して傾斜配置することにより、同様にモアレ干渉縞の発生を抑制できる。
【０００５】
しかしながら、通常、液晶セルのマトリクスの配列方向（例えばカラーフィルタの各画素の配列方向）は、表示装置の上下方向及び左右方向に一致する。したがって、視野角拡大シートの光の拡散方向が左右方向に対して傾斜することとなり、視野角拡大シートによる光の拡散方向が異なるため、視聴者の左側と右側において、視野角の改善特性が一致しなくなるという課題がある。すなわち、視聴者の視聴中心に対して左側と右側とで画像の輝度が異なり、画質が劣化するおそれがある。
【０００６】
本発明は、視聴中心に対して左右で視野角の改善特性に差異が生じることを抑制でき、良好な視野角特性を有する表示装置を提供することを一つの目的とする。
【課題を解決するための手段】
【０００７】
本発明の一態様に係る表示装置は、第１方向及び第２方向に並んで配置される複数の画素と、前記複数の画素を区分する境界部とを有するパネルと、複数の光透過部と複数の光拡散部とが交互に並んで配置されるとともに、前記パネルに重ねて配置されるフィルムと、を含み、前記フィルムは、前記複数の光透過部の長手方向が、前記パネルにおいてユーザによって視認される画面の垂直方向に沿った方向となり、かつ、前記複数の光透過部と複数の光拡散部との配列方向が前記画面の水平方向に沿った方向となるように配置され、前記複数の光拡散部のそれぞれが前記パネルからの光を前記配列方向に拡散し、前記パネルは、前記第１方向及び前記第２方向が前記画面の垂直方向に対して斜めの方向となるように配置されていることを特徴とする。
【０００８】
本発明の一態様に係る表示装置において、前記複数の画素のそれぞれは、方形状であり、前記方形状の各端縁が前記画面の垂直方向に交差する。
【０００９】
本発明の一態様に係る表示装置において、前記複数の画素のそれぞれは、矩形状であり、前記パネルは、前記複数の画素のうち、前記矩形状の一対の端縁が前記第１方向に沿う画素が、前記画面の水平方向に沿うように配列されている第１の画素列と、前記複数の画素のうち、前記矩形状の一対の端縁が前記第２方向に沿う画素が、前記画面の水平方向に沿って配列されている第２の画素列と、を有し、前記第１の画素列と前記第２の画素列とが、前記画面の垂直方向に沿って交互に配列される。
【００１０】
本発明の一態様に係る表示装置において、前記複数の画素のそれぞれは、矩形状であり、前記パネルは、前記矩形状の一対の端縁が前記画面の垂直方向に対して略４５度の角度で交差するように配置されている。
【００１１】
本発明の一態様に係る表示装置において、前記パネルは、前記複数の画素はそれぞれ複数のサブ画素を含み、それぞれ前記複数のサブ画素を含む複数の画素領域が、前記第１方向及び前記第２方向に沿って配列され、前記複数の画素領域は、菱形状であり、一対の対角線の一方は前記画面の垂直方向に平行である。
【００１２】
本発明の一態様に係る表示装置において、前記複数の画素領域は、正方形状である。
【００１３】
本発明の一態様に係る表示装置において、前記パネルは、前記複数の画素はそれぞれ複数のサブ画素を含み、それぞれ前記複数のサブ画素を含む複数の画素領域が、前記第１方向及び前記第２方向に沿って配列され、前記複数の画素領域は、平行四辺形状であり、一組の対辺は前記画面の水平方向に平行である。
【００１４】
本発明の一態様に係る表示装置において、前記複数の画素領域は、菱形状である。
【図面の簡単な説明】
【００１５】
【図１】表示装置の概略構成の一例を示す図である。
【図２】図１に示すII−II線での表示部の断面を模式的に示す断面図である。
【図３】後方に向かう平面視におけるカラーフィルタを模式的に示す平面図である。
【図４】上記平面視における視野角拡大フィルムを模式的に示す平面図である。
【図５】上記平面視におけるカラーフィルタ及び視野角拡大フィルムを模式的に示す平面図である。
【図６】モアレ干渉縞について説明するための説明図である。
【図７】モアレ干渉縞の抑制原理について説明するための説明図である。
【図８】一変形例に係る表示装置のカラーフィルタを模式的に示す平面図である。
【図９】一変形例に係る表示装置のカラーフィルタを模式的に示す平面図である。
【図１０】一変形例に係る表示装置のカラーフィルタを模式的に示す平面図である。
【発明を実施するための形態】
【００１６】
以下、本発明の一態様に係る表示装置の一実施形態である表示装置について、図面を参照しつつ説明する。以下の説明では、図中に矢印で示す、前、後、左、右、上、及び下のそれぞれの向きを使用する。図面については、同一又は同等の要素には同一の符号を付し、重複する説明は省略する。なお、本発明は、後述する実施形態の構成に限定されるものではなく、本発明の技術的思想の範囲内、即ち、同一の作用効果を発揮できる構成等の範囲内で変更できる。
【００１７】
図１は、本発明の一実施形態に係る表示装置１０１を前側から見た際の概略構成を示す斜視図である。図１に示すように、表示装置１０１は、表示部１０２と、筐体１０３と、スタンド１０４と、処理部１０５と、を備える。表示部１０２は、長辺が左右方向に延び、短辺が上下方向に延び、表示面１０２Ａ（本発明の画面の一例）に画像を表示する。表示部１０２の周囲及び後側には筐体１０３が設けられる。表示部１０２の下側にはスタンド１０４が設けられる。筐体１０３の内部には処理部１０５が設けられる。表示装置１０１は、処理部１０５の処理に基づいて、例えば外部から入力された画像信号に基づく画像を表示部１０２に表示させる。表示装置１０１の上下方向は、表示装置１０１が水平面に設置された場合の鉛直方向（水平方向に直交する垂直方向）に対応し、左右方向は、同様に水平方向に対応する。
【００１８】
図２は、図１のII−II線で示す位置における表示部１０２の断面を模式的に示す断面図である。図２に示すように、表示部１０２は、バックライト２０１と、液晶モジュール２０２と、を備える。バックライト２０１から出射された照明光が液晶モジュール２０２を透過し、液晶モジュール２０２から画像光が出射されることにより画像が表示される。
【００１９】
バックライト２０１は、液晶モジュール２０２の後側に配置され、前方に配置された液晶モジュール２０２に向かって照明光を照射する。バックライト２０１は、図示を省略するが、発光ダイオード等の光源と、光源からの光を伝播させ、液晶パネル２０２に向かって照明光として照射させる導光板と、を備えている。なお、バックライト２０１は、導光板の左右上下の少なくともいずれかの側面に光源が配置される、いわゆるエッジライト型として構成されてもよいし、導光板の後側に光源が配置される直下型として構成されてもよい。
【００２０】
液晶モジュール２０２は、液晶パネル２１０と、視野角拡大フィルム２２０と、図示を省略する液晶パネル２１０を制御する制御部と、を備える。液晶モジュール２０２は、表示装置１０１が設置された際の鉛直方向に対応する上下方向、及び、水平方向に対応する左右方向が予め規定され、上下方向及び左右方向に直交する前後方向に沿って画像光を出射して画像を表示する。液晶モジュール２０２は、制御部による制御に基づいて駆動する液晶パネル２１０から出射された画像光が、視野角拡大フィルム２２０を透過し、これにより、画像光の視野角特性が改善され、視野角が拡大される。
【００２１】
液晶パネル２１０は、カラーフィルタ基板２１１と、対向基板２１２と、液晶層２１３と、カラーフィルタ２１４と、第１偏光フィルム２１５と、第２偏光フィルム２１６と、を備える。
【００２２】
カラーフィルタ基板２１１及び対向基板２１２は、前後方向に対向配置された一対の基板であり、カラーフィルタ基板２１１と対向基板２１２との間には液晶層２１３が狭持されている。カラーフィルタ基板２１１の後面には、カラーフィルタ２１４や、図示を省略するが電極層や配向層などが上記液晶層２１３との間に形成されている。カラーフィルタ２１４の構成については後に詳述する。対向基板２１２の前面には、図示を省略するが電極層や配向層などが上記液晶層２１３との間に形成されている。対向基板２１２の前面の電極層には、例えば液晶パネル２１０の複数の画素に応じて、画素電極や薄膜トランジスタ（ＴＦＴ：Thin Film Transistor）などが上記液晶層２１５との間に形成されている。
【００２３】
第１偏光フィルム２１５は、カラーフィルタ基板２１１の前面側に配置され、第２偏光フィルム２１６は、対向基板２１２の後面側に配置される。第１偏光フィルム２１６及び第２偏光フィルム２１６は、ＴＡＣ（トリアセチルセルロース）またはＰＶＡ（ポリビニルアルコール）などの樹脂フィルムが使用されており、前後方向における平面視にて液晶パネル２１０の表示面２１０Ａを少なくとも覆う。
【００２４】
図３は、後方に向かって視た平面視におけるカラーフィルタ２２４を模式的に示す平面図である。図３は、カラーフィルタの一部を示している。図３に示すように、カラーフィルタ２２４は、表示される画像の各画素に対応する光が出射される複数の画素３０１と、画素３０１以外の領域であり複数の画素３０１を区分する境界部３０２と、を有する。
【００２５】
複数の画素３０１は、画像の各画素に対応する画素部３０１Ｐに含まれる第１サブ画素３０１Ｒ、第２サブ画素３０１Ｇ、及び第３サブ画素３０１Ｂを有する。第１サブ画素３０１Ｒは赤色に、第２サブ画素３０１Ｇは緑色に、第３サブ画素３０１Ｂは青色にそれぞれ対応各サブ画素３０１Ｒ，３０１Ｇ，３０１Ｂから、画像の各画素に対応する各色の色光が出射される。
【００２６】
画素３０１は、矩形状であり、矩形の一対の端縁３１１が上下方向に交差する第１方向Ｄ１に平行となるように設けられている。本実施形態では、第１方向Ｄ１は、上下方向に対して４５°の角度で傾いており、画素３０１は、端縁３１１が上下方向に対して略４５°の角度で傾斜するように設けられている。
【００２７】
複数の画素３０１は、第１方向Ｄ１及び第２方向Ｄ２に沿って配列されている。具体的には、本実施形態では、１つの画素に含まれる各サブ画素３０１Ｒ，３０１Ｇ，３０１Ｂは、正方形状の画素領域３０３内に、第２方向Ｄ２に沿って等間隔に配列されている。画素領域３０３は、一対の対辺が上下方向に対して略４５°の角度で傾いている。すなわち、画素領域３０３は、一対の対角線の一方が上下方向に平行であり、他方が左右方向に平行である。そして、複数の画素領域３０３は、第１方向Ｄ１及び第２方向Ｄ２に沿って配列され、第１方向Ｄ１及び第２方向Ｄ２に沿って隣接している。第１サブ画素３０１Ｒは、第１方向Ｄ１及び第２方向Ｄ２のそれぞれの方向について、等間隔に配列されている。第２サブ画素３０１Ｇ及び第３サブ画素３０１Ｂについても同様である。このように画素領域３０３を正方形状とすることにより、画素領域３０３を上下方向及び左右方向に配列させる際に、上下方向及び左右方向に隣接する画素領域３０３間の距離が等距離となるように、各画素領域３０３を設定できる。
【００２８】
上述のよう正方形状の画素領域３０３を、その一対の対角線の一方が上下方向に平行となるように配置する。これにより、複数の画素領域３０３を第１方向Ｄ１及び第２方向Ｄ２に沿って配列した際に画素領域３０３を隙間なく設定することができ、ひいては、カラーフィルタ２１４における画素３０１の占有率の低下を抑制できる。なお、菱形状の画素領域３０３を一対の対角線の一方が上下方向に平行となるように配置してもよい。この場合、同様に、画素領域３０３を隙間なく設定することができる。
【００２９】
また、複数の画素領域３０３を第１方向Ｄ１及び第２方向Ｄ２に沿って配列する。また、正方形状の画素領域３０３を、その一対の対角線の一方が上下方向に平行となるように配列する。これにより、複数の画素領域３０３が上下方向及び左右方向に並ぶので、例えば、縦線や横線を滑らかに表示させることができ、画質の低下を抑制できる。
【００３０】
境界部３０２は、カラーフィルタ２１４における複数の画素３０１以外の遮光性を有する領域であり、すなわちカラーフィルタ２１４のブラックマトリクス領域に相当する。境界部３０２は、上下方向に交差する方向（本実施形態では第１方向Ｄ１及び第２方向Ｄ２のいずれか一方）に沿う線状領域として、第１線状領域３２１と、第２線状領域３２２と、を含む。
【００３１】
第１線状領域３２１は、図３において、斜線領域として例示するように、第１方向Ｄ１に沿う線状の領域である。第１線状領域３２１は、第２方向Ｄ２に沿って隣り合う画素３０１の間に位置し、これら隣り合う画素３０１を区分する。すなわち、第１線状領域３２１は、第２方向Ｄ２に沿って隣り合う第１サブ画素３０１Ｒと第２サブ画素３０１Ｇとの間、第２サブ画素３０１Ｇと第３サブ画素３０１Ｂとの間、及び、第３サブ画素３０１Ｂと第１サブ画素３０１Ｒとの間に位置する。
【００３２】
第２線状領域３２２は、図３において、ドット領域として例示するように、第２方向Ｄ２に沿う線状の領域である。第２線状領域３２２は、第１方向Ｄ１に沿って隣り合う画素３０１の間に位置し、これら隣り合う画素３０１を区分する。すなわち、第２線状領域３２２は、第１方向Ｄ１に沿って隣り合う第１サブ画素３０１Ｒ間、第２サブ画素３０１Ｇ間、及び、第３サブ画素３０１Ｂ間に位置する。
【００３３】
図４は、後方に向かって視た平面視における視野角拡大フィルム２２０の構成を模式的に示す平面図である。視野角拡大フィルム２２０は、液晶パネル２１０の前面側、本実施形態では、第１偏光フィルム２１５の前面に配置され、後方から入射する光を左右方向に拡散可能であり、左右方向における画像光の視野角特性を改善する。本実施形態では、図４に示すように、視野角拡大フィルム２２０は、上下方向に略平行に線状に設けられた複数の光透過部４０１と、複数の光拡散部４０２とを有する。複数の光透過部４０１及び光拡散部４０２は、左右方向に交互に配置されている。また、複数の光透過部４０１及び光拡散部４０２は、それぞれ左右方向に略等間隔に配置されている。光透過部４０１は、液晶パネル２１０からの画像光（前後方向に沿って進む光）を透過する。光拡散部４０２は、液晶パネル２１０からの画像光（前後方向に沿って進む光）の少なくとも一部を、光透過部４０１及び光拡散部４０２の配列方向である左右方向に拡散する。光拡散部４０２は、例えば、上下方向に沿う線条やプリズムである。視野角拡大フィルム２２０に後方から光を照射した場合に、光拡散部４０２は光透過部４０１よりも暗い暗部となる。すなわち、視野角拡大フィルム２２０に後方から光を照射した場合に、後方に向かって視て、視野角拡大フィルム２２０に、複数の明部と複数の暗部とが左右方向に沿って交互に出現する明暗パターンが発生する。
【００３４】
図５は、前側から後方に向かって視た平面視におけるカラーフィルタ２１４及び視野角拡大フィルム２２０を模式的に示す平面図である。図５に示すように、カラーフィルタ２１４の第１線状領域３２１及び第２線状領域３２２は、視野角拡大フィルム２２０の光拡散部４０２と交差して配置される。なお、光拡散部４０２の配列ピッチは、第１線状領域３２１及び第２線状領域３２２の配列ピッチよりも小さい。
【００３５】
ここで、図６に示すように、線状の明部と暗部とが一方向に交互に配置される明暗パターンを２つ重ねると、二つの明暗パターンのピッチが異なることにより干渉縞であるモアレが生じる場合がある。図６に示すように、パターンＡのピッチをｐ、パターンＢのピッチをｐ＋δ（ただし、０＜δ＜ｐ）、モアレの淡部の中間点と暗部の中間点の距離をｄとする。なお、モアレの淡部では、パターンＡ及びパターンＢの暗線が重なっている。また、モアレの暗部では、パターンＢの暗線の間に、パターンＡの暗線が位置する。ひとつめの暗部の中間点は、パターンＡとパターンＢのずれがｐ／２に等しくなった点である。パターンＢのｎ番目の線は、パターンＡのｎ番目の線からｎ・δだけずれるので、ひとつめの暗部の中間点はｎ・δ＝ｐ／２を満たす、ｎ＝ｐ／２δ番目の暗線に生じる。淡部の中間点と暗部の中間点との距離ｄ＝ｎ・ｐなので、距離ｄ＝ｐ２／２δであり、二つの暗部の中間点の距離は、２ｄ＝ｐ２／δとなる。すなわち、二つのパターンのピッチのずれ量であるδが大きいほど淡部と暗部との間の距離ｄは小さくなる。
【００３６】
このような二つのパターンを図７に示すように、暗線が互いに交差するように重ねた場合、パターンＡに対するパターンＢの左右方向の線間隔をｑとすると、ｑ＝ｐ／ｃｏｓθとなる。角度θを大きくしていくと、ｃｏｓθは小さくなり、パターンＡに対するパターンＢの左右方向の線間隔をｑは大きくなっていく。その結果、パターンＡとパターンＢのピッチのずれ量δが大きくなり、すなわち、モアレの淡部と暗部の距離が小さくなり、モアレが視認しにくくなる。同様に、本実施形態の液晶表示装置１０１では、カラーフィルタ２１４の第１線状領域３２１及び第２線状領域３２２と、視野角拡大フィルム２２０の光拡散部４０２とが交差するので、モアレを視認しにくくできる。
【００３７】
ここで、視野角拡大フィルム２２０を、スリットが上下方向に対して傾くように配置する場合、透過光の拡散方向が左右方向に対して傾斜することにより、ユーザの視線の正面位置に対する左側と右側とで、視野角拡大フィルム２２０による光の拡散方向が上下方向にについて異なる。例えば、視野角拡大フィルム２２０による光の拡散方向が、正面位置に対して右側において、右下に向かう方向である場合、正面位置に対して左側において、左上に向かう方向である。このため、正面位置に対する左側と右側とで、視野角拡大フィルム２２０による視野角の改善性能に差異が生じ、例えば画面の輝度に差異が生じるおそれがある。これに対して、本実施形態では、視野角拡大フィルム２２０は、上下方向に略平行な複数のスリットが左右方向に配列される構成を有することにより、透過光を左右方向に拡散させることができるため、左右での視野角の特性に差異が生じることを抑制できる。
【００３８】
また、カラーフィルタ２１４の非光出射領域３０２における、第１線状領域３２１と、第２線状領域３２２とは、互いに直交し、上下方向に対して略４５°の角度で傾斜する。これにより第１線状領域３２１及び第２線状領域３２２のそれぞれと、視野角拡大フィルム２２０の光拡散部４０２との角度を同時に最大の４５°の角度とすることができ、モアレを視認しにくくできる。
【００３９】
［変形例］
本発明に係る表示装置は、上述の実施形態に限定されず、本発明の技術的思想の範囲内において、各種の変形や、各実施例の全部及び一部を組み合わせる等の変更によって得られる構成は本発明に含まれるものである。
【００４０】
図８は、前側から後方に向かって視た平面視におけるカラーフィルタ８００の一部の構成を模式的に示す平面図である。図８に示すように、カラーフィルタ８００は、複数の画素８０１と、画素８０１以外の領域であり複数の画素８０１を区分する境界部８０２と、を有する。境界部８０２は、第１方向Ｄ１に沿う第１線状領域８０２Ａと、第２方向Ｄ２に沿う第２線状領域８０２Ｂと、を有する。
【００４１】
複数の画素８０１のそれぞれは、各画素に相当する画素部８０１Ｐに対応し、赤色に対応する第１サブ画素８０１Ｒ、緑色に対応する第２サブ画素８０１Ｇ、及び青色に対応する第３サブ画素８０１Ｂを含む。１つの画素部８０１Ｐに含まれる各サブ画素８０１Ｒ，８０１Ｇ，８０１Ｂは、正方形状の画素領域８０３内に、第１方向Ｄ１又は第２方向Ｄ２のいずれかの方向に沿って配列されている。
【００４２】
具体的には、第１の画素領域８０３Ａは、各サブ画素８０１Ｒ，８０１Ｇ，８０１Ｂが第１方向Ｄ１に沿って配列されている。複数の第１の画素領域８０３Ａが左右方向（水平方向）に沿って配列され第１の画素列８０４Ａが形成される。また、第２の画素領域８０３Ｂは、各サブ画素８０１Ｒ，８０１Ｇ，８０１Ｂが第２方向Ｄ２に沿って配列されている。複数の第２の画素領域８０３Ｂが左右方向に沿って配列され第２の画素列８０４Ｂが形成される。また、第１の画素列８０４Ａ及び第２の画素列８０４Ｂは、上下方向（垂直方向）に交互に配列される。
【００４３】
図８に示す例では、画素８０１の向きが互いに交差する第１の画素領域８０３Ａと第２の画素領域８０３Ｂとが、第１方向Ｄ１に沿って交互に配列されている。このような構成では、画素８０１の向きが同一の画素領域が第１方向Ｄ１に沿って配列される構成よりも、第１方向Ｄ１に沿って連続して延在する線状の第１線状領域の数を低減させることができ、モアレの発生を抑制できる。
【００４４】
図９は、前側から後方に向かって視た平面視におけるカラーフィルタ９００の一部の構成を模式的に示す平面図である。図９に示すように、カラーフィルタ９００は、複数の画素９０１は、各サブ画素９０１Ｒ，９０１Ｇ，９０１Ｂのいずれかに対応する。１つの画素部９０１Ｐに対応する画素領域９０３は、平行四辺形状の領域である。画素領域９０３内に各サブ画素９０１Ｒ，９０１Ｇ，９０１Ｂが左右方向に沿って配列される。各サブ画素９０１Ｒ，９０１Ｇ，９０１Ｂのそれぞれは、第１方向Ｄ１又は第２方向Ｄ２のいずれかの方向に向けて形成されている。具体的には、第１の画素領域９０４Ａは、各サブ画素９０１Ｒ，９０１Ｇ，９０１Ｂの一対の対辺が第１方向Ｄ１に略平行となるように形成されている。また、第２の画素領域９０３Ｂは、各サブ画素９０１Ｒ，９０１Ｇ，９０１Ｂが第２方向Ｄ２に向けて形成されている。具体的には、第２の画素領域９０４Ｂは、各サブ画素９０１Ｒ，９０１Ｇ，９０１Ｂの一対の対辺が第２方向Ｄ２に略平行となるように形成されている。第１の画素列９０４Ａ及び第２の画素列９０４Ｂは、上下方向に交互に配列されている。
【００４５】
図９に示す例では、上下方向に沿って第１の画素領域９０３Ａと第２の画素領域９０３Ｂとが交互に配列されている。このような構成では、上記実施形態と比べて、境界部９０２において、第１方向Ｄ１及び第２方向Ｄ２のいずれか一方に沿って連続する線状の非光透過領域が形成されることを抑制することにより、モアレの発生を抑制できる。また、平行四辺形状の画素領域９０３の一組の対辺を左右方向に平行とすることにより、画素領域９０３を隙間なく配置することができる。なお、画素領域９０３の形状を菱形状とすることにより、上下方向及び左右方向に沿って等距離となるように画素領域９０３を配列することができる。
【００４６】
また、図９に示す例では、複数の第１サブ画素９０１Ｒが第１方向に沿って略連続的に配列される。第２サブ画素９０１Ｇ及び第３サブ画素９０１Ｂも、第１サブ画素９０１Ｒと同様である。これにより、上下方向に沿って各サブ画素９０１Ｒ，９０１Ｇ，９０１Ｂに近接して配置することができ、上下方向にサブ画素の間の隙間が生じることにより、左右方向に沿うスジ状のムラが画像に視認しやすくなることを抑制できる。
【００４７】
図１０は、前側から後方に向かって視た平面視におけるカラーフィルタ１０００の一部の構成を模式的に示す平面図である。上記実施形態では、光出射領域が略４５°の角度で傾斜するように形成されていたが、これに限定されない。例えば、図１０に示すカラーフィルタ１０００のように、複数の光出射領域１００１が、上下方向に対して４５°よりも小さい角度で傾斜するように配置されてもよい。なお、画素領域１００３は、平行四辺形状であり、画素領域１００３内に、第１サブ画素１００１Ｒ、第２サブ画素１００１Ｇ、及び第３サブ画素１００１Ｂを含む画素部１０００Ｐが形成される。
【００４８】
上記実施形態では、光出射領域が矩形状である場合について例示したが、これに限定されない。例えば、光出射領域は、四辺が上下方向に交差する平行四辺形状や台形状等の方形状の領域でもよい。例えば、図９及び図１０に示す変形例のように、一組の対辺が左右方向に平行な画素領域を設定する場合、一組の対辺が左右方向に平行な平行四辺形状や台形状の光出射領域とすることにより、画素領域内に光出射領域をより隙間なく配置することができる。
【００４９】
上記実施形態では、表示装置１０１として、液晶パネル２１０を備える液晶ディスプレイを例示したが、これ限定されず、例えば、有機ＥＬディスプレイ（Organic Electro Luminescence Display）や、マイクロＬＥＤディスプレイ（Micro Light Emitting Diode Display）等の各種ディスプレイについても本発明を適用できる。また、上記実施形態では、表示パネルが、画素と境界部とを有するカラーフィルタを備える構成を例示したが、これに限定されない。例えば、有機ＥＬディスプレイやマイクロＬＥＤディスプレイ等において、各サブ画素に対応する自発光素子を備える表示パネルであっても、各サブ画素間の境界部が存在するので、本発明を好適に適用可能である。すなわち、表示装置は、液晶パネルを含む液晶モジュールの代わりに、上記各種方式を採用した表示パネルを含む表示モジュールを備え構成されてもよい。
【００５０】
上記実施形態では、表示装置として、ユーザによって視認される画面の垂直方向（上下方向）が短手方向であり、水平方向が長手方向である矩形状の表示面１０２Ａを有する表示部１０２を備える構成を例示したが、これに限定されない。例えば、表示部１０２は、垂直方向（上下方向）が表示面１０２Ａの長手方向であってもよい。また、表示部１０２の表示面１０２Ａの形状は、矩形状に限定されず、円形状、楕円形状、長円形状や、多角形状等の各種の形状を採用され得る。
【００５１】
上記実施形態で例示した表示装置において、さらに放送波受信する受信部を備える構成としてもよく、上述の表示装置と受信部とを備えるテレビジョン受信装置についても本発明を好適に適用できる。
【符号の説明】
【００５２】
１０１  表示装置
１０２  表示部
１０３  筺体
１０４  スタンド
１０５  処理部
２０１  バックライト
２０２  液晶モジュール
２１０  液晶パネル
２１１  カラーフィルタ基板
２１２  対向基板
２１３  液晶層
２１４  カラーフィルタ
２１５  第１偏光フィルム
２１６  第２偏光フィルム
２２０  視野角拡大フィルム
３０１  画素
３０１Ｐ  画素部
３０１Ｒ  第１サブ画素
３０２Ｇ  第２サブ画素
３０１Ｂ  第３サブ画素
３０２  境界部
３０３  画素領域
３１１  端縁
３２１  第１線状領域
３２２  第２線状領域
４０１  光透過部
４０２  光拡散部
【図１】
2020101681.tif 000003
【図２】
2020101681.tif 000004
【図３】
2020101681.tif 000005
【図４】
2020101681.tif 000006
【図５】
2020101681.tif 000007
【図６】
2020101681.tif 000008
【図７】
2020101681.tif 000009
【図８】
2020101681.tif 000010
【図９】
2020101681.tif 000011
【図１０】
2020101681.tif 000012